(57)【要約】【課題】画像形成装置や後処理装置などの記録紙搬送路の途中に設ける場合に、湾曲癖を矯正する必要がない記録紙を、デカールローラ装置が有する搬送路とは別の搬送路を設けることなく搬送できるようにする。【解決手段】湾曲癖を矯正しながら記録紙Ｐを挟持搬送する硬質ローラ１と弾性ローラ２とを備え、弾性ローラの軸芯Ｘを硬質ローラの軸芯Ｙと同じ、又はそれより高い位置に支持する支持部８が硬質ローラに対する遠近方向に移動自在に保持され、支持部に接触するカム部材１２の回転操作で当該支持部を遠近方向に移動操作自在な操作具３が備えられ、カム部材は、弾性ローラをその弾性復元力に抗して硬質ローラに押し付ける押し付け用カム面１４と、硬質ローラに対する押し付けを解除する押し付け解除用カム面１５と、弾性ローラと硬質ローラとの間に隙間１６を形成する隙間形成用カム面１７とを備えている。【選択図】図３
2010155668.tif 000002
【特許請求の範囲】
【請求項１】
記録紙に付与された湾曲癖を矯正しながら当該記録紙を挟持搬送する一対のローラが、硬質の外周面を備えた硬質ローラと、その硬質ローラの外周面に対する押し付け操作で弾性変形自在な外周面を備えた弾性ローラとで構成され、
前記弾性ローラの回転軸芯を前記硬質ローラの回転軸芯と同じ高さ位置、又は、それよりも高い位置に支持する支持部が、前記硬質ローラに対する遠近方向に移動自在に保持され、
前記支持部に接触するカム部材の回転操作で当該支持部を前記遠近方向に移動操作自在な操作具が備えられ、
前記カム部材は、前記弾性ローラの外周面がその弾性復元力に抗して前記硬質ローラの外周面に押し付けられるように前記支持部を移動させる押し付け用カム面と、前記弾性ローラの外周面の前記硬質ローラの外周面に対する押し付けが解除されるように前記支持部を移動させる押し付け解除用カム面とを備えているデカールローラ装置であって、
前記弾性ローラの外周面と前記硬質ローラの外周面との間に隙間が形成されるように前記支持部を移動させる隙間形成用カム面が、前記カム部材に備えられているデカールローラ装置。
【請求項２】
前記押し付け用カム面は、前記カム部材の回転軸芯からの距離が一定のカム面部分の複数を、回転周方向で隣り合わせて、かつ、前記回転軸芯からの距離を段階的に異ならせて設けてある請求項１記載のデカールローラ装置。
【請求項３】
前記記録紙の上面側に接触してその搬送姿勢を案内可能なガイド面を一連に備えた搬送路が、前記硬質ローラと前記弾性ローラとによる記録紙挟持位置の前後に亘って設けられ、
前記弾性ローラの外周面を前記ガイド面から退避する位置に移動させて、前記硬質ローラの外周面との間に隙間が形成されるように、前記支持部を移動操作自在に設けてある請求項１又は２記載のデカールローラ装置。
【発明の詳細な説明】
【技術分野】
【０００１】
本発明は、記録紙に付与された湾曲癖を矯正しながら当該記録紙を挟持搬送する一対のローラが、硬質の外周面を備えた硬質ローラと、その硬質ローラの外周面に対する押し付け操作で弾性変形自在な外周面を備えた弾性ローラとで構成され、前記弾性ローラの回転軸芯を前記硬質ローラの回転軸芯と同じ高さ位置、又は、それよりも高い位置に支持する支持部が、前記硬質ローラに対する遠近方向に移動自在に保持され、前記支持部に接触するカム部材の回転操作で当該支持部を前記遠近方向に移動操作自在な操作具が備えられ、前記カム部材は、前記弾性ローラの外周面がその弾性復元力に抗して前記硬質ローラの外周面に押し付けられるように前記支持部を移動させる押し付け用カム面と、前記弾性ローラの外周面の前記硬質ローラの外周面に対する押し付けが解除されるように前記支持部を移動させる押し付け解除用カム面とを備えているデカールローラ装置に関する。
【背景技術】
【０００２】
上記デカールローラ装置は、弾性ローラの回転軸芯を硬質ローラの回転軸芯と同じ高さ位置、又は、それよりも高い位置に支持する支持部を、カム部材の回転操作で硬質ローラに対する遠近方向に移動させることにより、弾性ローラの硬質ローラに対するニップ量を記録紙の湾曲癖（カール）の強さに応じて増減に調整して、その記録紙の湾曲癖を適正に矯正できるようにしてある。
従来のデカールローラ装置では、ジャムの発生時などに、押し付け解除用カム面を支持部に接触させることにより、弾性ローラの外周面の硬質ローラの外周面に対する押し付けを解除できるようにしてある。
また、カム部材の回転軸芯を中心とする半径が最大半径から漸減する押し付け用カム面を設けて、最大半径のカム面部分が支持部に接触しているときはニップ量が最大になって最も強い湾曲癖を矯正でき、その状態からカム部材を回転させるに伴って、ニップ量が漸減して弱い湾曲癖を矯正できるようにしてある（例えば、特許文献１参照。）。
【０００３】
【特許文献１】特開２００２−３０２３２４号公報
【発明の開示】
【発明が解決しようとする課題】
【０００４】
従来のデカールローラ装置では、押し付け解除用カム面を支持部に接触させることにより、弾性ローラの外周面の硬質ローラの外周面に対する押し付けを解除できるようにしてあるので、弾性ローラの押し付けを解除した状態でも、弾性ローラの外周面と硬質ローラの外周面とが互いに接触している。
特に、弾性ローラの回転軸芯を硬質ローラの回転軸芯よりも高い位置に支持する支持部が、硬質ローラに対する遠近方向に移動自在に保持されている場合は、弾性ローラの押し付けを解除した状態で、弾性ローラが自重で硬質ローラに強く接触している。
従って、湾曲癖を矯正する必要がない記録紙を弾性ローラと硬質ローラとの間を通して搬送しようとしても、記録紙の先端側が弾性ローラに突き当たって搬送できないおそれがある。
このため、複写機，プリンタ，ファックスなどの画像形成装置や、画像形成後の記録紙に例えばパンチ処理やステイプル処理を施す後処理装置などにおける記録紙搬送路の途中に設ける場合には、湾曲癖を矯正する必要がない記録紙を搬送するための搬送路を、デカールローラ装置が有する搬送路とは別に設ける必要があり、画像形成装置や後処理装置などの構造が複雑化すると共に大型化する欠点がある。
本発明は上記実情に鑑みてなされたものであって、デカールローラ装置を画像形成装置や後処理装置などにおける記録紙搬送路の途中に設ける場合に、湾曲癖を矯正する必要がない記録紙を、デカールローラ装置が有する搬送路とは別の搬送路を設けることなく搬送できるようにすることを目的とする。
【課題を解決するための手段】
【０００５】
本発明の第１特徴構成は、記録紙に付与された湾曲癖を矯正しながら当該記録紙を挟持搬送する一対のローラが、硬質の外周面を備えた硬質ローラと、その硬質ローラの外周面に対する押し付け操作で弾性変形自在な外周面を備えた弾性ローラとで構成され、前記弾性ローラの回転軸芯を前記硬質ローラの回転軸芯と同じ高さ位置、又は、それよりも高い位置に支持する支持部が、前記硬質ローラに対する遠近方向に移動自在に保持され、前記支持部に接触するカム部材の回転操作で当該支持部を前記遠近方向に移動操作自在な操作具が備えられ、前記カム部材は、前記弾性ローラの外周面がその弾性復元力に抗して前記硬質ローラの外周面に押し付けられるように前記支持部を移動させる押し付け用カム面と、前記弾性ローラの外周面の前記硬質ローラの外周面に対する押し付けが解除されるように前記支持部を移動させる押し付け解除用カム面とを備えているデカールローラ装置であって、
前記弾性ローラの外周面と前記硬質ローラの外周面との間に隙間が形成されるように前記支持部を移動させる隙間形成用カム面が、前記カム部材に備えられている点にある。
【０００６】
〔作用及び効果〕
カム部材の回転操作で、弾性ローラの回転軸芯を硬質ローラの回転軸芯と同じ高さ位置、又は、それよりも高い位置に支持する支持部に隙間形成用カム面を接触させることにより、弾性ローラの外周面と硬質ローラの外周面との間に隙間を形成することができる。
このため、湾曲癖を矯正する必要がない記録紙は弾性ローラと硬質ローラとの間に形成された隙間を通して搬送することができる。
従って、デカールローラ装置を画像形成装置や後処理装置などにおける記録紙搬送路の途中に設ける場合に、湾曲癖を矯正する必要がない記録紙を、デカールローラ装置が有する搬送路とは別の搬送路を設けることなく搬送できる。
【０００７】
本発明の第２特徴構成は、前記押し付け用カム面は、前記カム部材の回転軸芯からの距離が一定のカム面部分の複数を、回転周方向で隣り合わせて、かつ、前記回転軸芯からの距離を段階的に異ならせて設けてある点にある。
【０００８】
〔作用及び効果〕
従来のデカールローラ装置では、前述のように、カム部材の回転軸芯を中心とする半径が最大半径から漸減する押し付け用カム面を設けて、弾性ローラの硬質ローラに対するニップ量を調整できるように設けてあるため、カム部材の僅かな回転でもニップ量が変化し易く、ニップ量を安定的に維持し難い欠点がある。
上記に対して、カム部材の回転軸芯からの距離が一定のカム面部分の複数を、回転周方向で隣り合わせて、かつ、回転軸芯からの距離を段階的に異ならせて設けてある押し付け用カム面を備えているので、カム部材が僅かに回転しても、支持部に対して接触しているカム面部分が隣り合うカム面部分に移行するまではニップ量を一定に維持することができ、ニップ量を安定的に維持し易い。
【０００９】
本発明の第３特徴構成は、前記記録紙の上面側に接触してその搬送姿勢を案内可能なガイド面を一連に備えた搬送路が、前記硬質ローラと前記弾性ローラとによる記録紙挟持位置の前後に亘って設けられ、前記弾性ローラの外周面を前記ガイド面から退避する位置に移動させて、前記硬質ローラの外周面との間に隙間が形成されるように、前記支持部を移動操作自在に設けてある点にある。
【００１０】
〔作用及び効果〕
湾曲癖を矯正する必要がない記録紙を弾性ローラと硬質ローラとの間に形成された隙間を通して搬送する場合に、弾性ローラの外周面をガイド面から退避する位置に移動させて、記録紙の弾性ローラとの接触を防止しながら、その搬送姿勢をガイド面で案内することができ、搬送姿勢の乱れによる紙詰まりなどが発生し難い。
【発明を実施するための最良の形態】
【００１１】
以下に本発明の実施の形態を図面に基づいて説明する。
図１，図２は、複写機，プリンタ，ファックスなどの画像形成装置や、画像形成後の記録紙に例えばパンチ処理やステイプル処理を施す後処理装置などにおける記録紙搬送路の途中に設けられる本発明によるデカールローラ装置を示す。
【００１２】
デカールローラ装置は、記録紙Ｐに付与された湾曲癖（カール）を矯正しながら当該記録紙Ｐを挟持搬送する上下一対のローラ１，２と、矯正強さを湾曲癖の強さに応じて調整操作可能な調整操作具３と、一対のローラ１，２による記録紙挟持位置の前後に亘る搬送路４とを備えている。
【００１３】
一対のローラ１，２は、硬質の外周面を備えた金属や硬質合成樹脂で形成した硬質ローラ１と、その硬質ローラ１の外周面に対する上方側からの押し付け操作で弾性変形自在な外周面を備えたスポンジ状の発泡ゴムなどで形成した弾性ローラ２とで構成してあり、互いに平行な回転軸芯Ｘ，Ｙ周りで回転自在に支持してある。
【００１４】
硬質ローラ１は、矢印Ｒの方向に回転する駆動ローラであって、その外径を弾性ローラ２の外径よりも小径に形成してあり、搬送路４の略全幅に亘る長さを有し、その回転支軸５の両端側を駆動回転自在に支持する図示しない軸受け部材は、画像形成装置や後処理装置などにおける側板やフレームなどに固定してある。
【００１５】
弾性ローラ２は、硬質ローラ１の駆動回転に伴って従動回転する従動ローラであって、その長手方向で複数の分割弾性ローラ６に分割され、各分割弾性ローラ６は搬送路４の幅方向に間隔を隔てて回転支軸７に固定されている。
【００１６】
弾性ローラ２の回転軸芯Ｘは、その回転支軸７の両端側を回転自在に支持する支持部である一対の軸受け部材８で、硬質ローラ１の回転軸芯Ｙよりも高い位置、具体的には、硬質ローラ１の回転軸芯Ｙの鉛直方向上方位置に支持されている。
【００１７】
軸受け部材８の夫々は、回転軸芯Ｘ周りの外周面９が円周面に形成された同一仕様のものであって、画像形成装置や後処理装置などにおける側板１０に形成してある上下方向に長いガイド孔１１に沿って、硬質ローラ１に対する遠近方向、具体的には、硬質ローラ１の上方側で鉛直方向にスライド移動自在に保持されている。
【００１８】
調整操作具３は、左右の軸受け部材８の外周面９の夫々に接触する一対のカム部材１２の、一対のローラ１，２の回転軸芯Ｘ，Ｙと平行な回転軸芯Ｚ周りでの正逆回転操作で、それらの軸受け部材８を硬質ローラ１に対する遠近方向に一体に移動操作自在に設けてある。
一対のカム部材１２は、側板１０に回転操作自在に支持してある回転操作用支軸１３に互いに同じ位相で固定してある。
【００１９】
カム部材１２の夫々は、弾性ローラ２の外周面がその弾性復元力に抗して硬質ローラ１の外周面に押し付けられるように軸受け部材８を移動させる押し付け用カム面１４と、弾性ローラ２の外周面の硬質ローラ１の外周面に対する押し付けが解除されるように軸受け部材８を移動させる押し付け解除用カム面１５と、弾性ローラ２の外周面と硬質ローラ１の外周面との間に隙間１６が形成されるように軸受け部材８を移動させる隙間形成用カム面１７とを備えている。
【００２０】
押し付け用カム面１４は、カム部材１２の回転軸芯Ｚからの距離が一定のカム面部分１４ａ〜１４ｅの５つを、回転周方向で隣り合わせて、かつ、回転軸芯Ｚからの距離を段階的に異ならせて設けてある。
【００２１】
すなわち、回転軸芯Ｚからの距離が最も長い第１カム面部分１４ａと、回転軸芯Ｚからの距離が最も短い第５カム面部分１４ｅとの間に、第１カム面部分１４ａ側から順に、回転軸芯Ｚからの距離が約０．５ｍｍ単位で段階的に短くなる第２〜第４カム面部分１４ｂ〜１４ｄを設けてある。
【００２２】
図２（ａ）は、弾性ローラ２の外周面を第１カム面部分１４ａで硬質ローラ１の外周面に押し付けて、ニップ量ｄを最も大きくしてある状態を示し、図２（ｂ）は、弾性ローラ２の外周面を第５カム面部分１４ｅで硬質ローラ１の外周面に押し付けて、ニップ量ｄを最も小さくしてある状態を示している。
【００２３】
隙間形成用カム面１７は、硬質ローラ１の外周面を押し付け解除用カム面１５に接触させて弾性ローラ２の外周面の硬質ローラ１の外周面に対する押し付けを解除した状態で、図３（ａ）に示すように、カム部材１２を矢印Ｓの方向に更に回転させるに伴って軸受け部材８の下向き面側に入り込ませて、図３（ｂ）に示すように、軸受け部材８を強制的に持ち上げることにより、弾性ローラ２の外周面と硬質ローラ１の外周面との間に隙間１６を形成するもので、矢印Ｓの方向の上手側ほど回転軸芯Ｚからの距離が短くなる傾斜面に形成してある。
【００２４】
搬送路４は、記録紙Ｐの搬送姿勢を案内する上下一対のガイド板１８，１９を側板１０に固定して、それらのガイド板１８，１９の間に形成してある。
下側ガイド板１９は、硬質ローラ１を挟む前後位置に各別に配置してあり、上側ガイド板１８は、各分割弾性ローラ６の下部を搬送路４内に突出させる長孔２０を分割弾性ローラ６毎に対応して各別に設けて、硬質ローラ１と弾性ローラ２とによる記録紙挟持位置の前後に亘って一連に配置してある。
【００２５】
上側ガイド板１８の下向き面が、記録紙Ｐの上面側に接触してその搬送姿勢を案内可能なガイド面２１に構成されている。
そして、軸受け部材８を強制的に持ち上げることにより、図３（ｂ）に示すように、弾性ローラ２の外周面をガイド面２１から上方に退避する位置に移動させて、硬質ローラ１の外周面との間に隙間１６が形成されるように、軸受け部材８を隙間形成用カム面１７で移動操作自在に設けてある。
尚、弾性ローラ２の外周面と硬質ローラ１の外周面との間に隙間１６を形成した状態では、硬質ローラ１の駆動回転は停止される。
【００２６】
〔その他の実施形態〕
１．本発明によるデカールローラ装置は、弾性ローラの回転軸芯を硬質ローラの回転軸芯と同じ高さ位置に支持する支持部が、硬質ローラに対して遠近方向に移動自在に保持されていてもよい。
２．本発明によるデカールローラ装置は、隙間形成用カム面が押し付け解除用カム面に兼用されていてもよい。
【図面の簡単な説明】
【００２７】
【図１】デカールローラ装置の斜視図
【図２】要部の側面図
【図３】要部の側面図
【符号の説明】
【００２８】
１  硬質ローラ
２  弾性ローラ
３  操作具
４  搬送路
８  支持部
１２  カム部材
１４  押し付け用カム面
１４ａ〜１４ｅ  カム面部分
１５  押し付け解除用カム面
１６  隙間
１７  隙間形成用カム面
２１  ガイド面
Ｐ  記録紙
Ｘ  弾性ローラの回転軸芯
Ｙ  硬質ローラの回転軸芯
Ｚ  カム部材の回転軸芯
【図１】
2010155668.tif 000003
【図２】
2010155668.tif 000004
【図３】
2010155668.tif 000005